(57)【要約】 【課題】湾曲黒板を対象として、可動式プロジェクターを映写スクリーンと一体に黒板の左右方向に沿って移動可能に設置して、凹湾曲した黒板面のどの位置に対しても映写スクリーンを適正に展張可能とする黒板用映写装置を提供する。【解決手段】黒板面１０の少なくとも一部が水平方向に凹湾曲した黒板本体１と、黒板設置部の壁面Ｗに沿って水平直線状に配設されたプロジェクター用ガイドレール２と、黒板面１０の上縁に沿って配設されて凹湾曲に対応する曲線部３ａを有するスクリーン用ガイドレール３とを備え、プロジェクター用ガイドレール２にはプロジェクターＰを搭載した可動台座４が走行自在に載置され、スクリーン用ガイドレール３には黒板面１０に展張して磁着させる巻上げ式映写スクリーンＳの巻装保持枠５が走行自在に支持され、可動台座４に巻装保持枠５がスライド機構６Ａを介して前後移動可能に係合されている。【選択図】図２
2018189925.tif 000002
【特許請求の範囲】
【請求項１】
黒板面の少なくとも一部が水平方向に凹湾曲した黒板本体と、黒板設置部の壁面に沿って水平直線状に配設されたプロジェクター用ガイドレールと、黒板面の上縁に沿って配設されて前記凹湾曲に対応する曲線部を有するスクリーン用ガイドレールとを備え、
プロジェクター用ガイドレールにはプロジェクターを搭載した可動台座が走行自在に載置されると共に、スクリーン用ガイドレールには黒板面に展張して磁着させる巻上げ式映写スクリーンの巻装保持枠が走行自在に支持され、
前記可動台座に前記巻装保持枠がスライド機構を介して前後移動可能に連結されていることを特徴とする黒板用映写装置。
【請求項２】
前記スライド機構のスライダーに、前記巻装保持枠が左右方向中央部で水平回動可能に枢着されていることを特徴とする請求項１に記載の黒板用映写装置。
【請求項３】
前記巻装保持枠が左右二箇所で支持枠を介してスクリーン用ガイドレールに支持されると共に、各支持枠に対して巻装保持枠が水平回動可能に枢着されていることを特徴とする請求項１又は２に記載の黒板用映写装置。
【請求項４】
前記スライド機構は、前記可動台座側に取り付けた前後方向の摺動ガイドレールと、この摺動ガイドレールに前後摺動自在に嵌合するスライダーと、該スライダーに一端側を固着して他端側を前記巻装保持枠に連結した連結部材とで構成されてなる請求項１〜３のいずれかに記載の黒板用映写装置。
【請求項５】
前記プロジェクター用ガイドレールが前記黒板本体の上方に離間して建物躯体の壁面に取り付けられ、前記摺動ガイドレールが前記可動台座の前部に垂設された吊持部材を介して該プロジェクター用ガイドレールの下側に配置してなる請求項４に記載の黒板用映写装置。
【請求項６】
前記プロジェクター用ガイドレールが前後両側に長手方向に連続する中空部を有する金属押出型材からなり、両中空部上を前記可動台座の前後両側に設けた各々複数個の支持ローラーが転動すると共に、当該ガイドレール上に、複数本のプロジェクター用伝送ケーブルを保持するケーブルダクトチェーンが上端を可動台座に止着して上下にＵターン状に折り返す形で配置してなる請求項１〜５のいずれかに記載の黒板用映写装置。
【発明の詳細な説明】
【技術分野】
【０００１】
本発明は、黒板面の少なくとも一部が水平方向に凹湾曲した黒板において、その黒板面に展張して磁着させる巻上げ式映写スクリーンと、該映写スクリーンに映像を投影するプロジェクターとを一体に黒板左右方向に移動可能とする黒板用映写装置に関する。
【背景技術】
【０００２】
黒板用プロジェクターとして、映像の投影位置を黒板の左右方向に変更し得る可動式のものがある。例えば、本出願人に係る特許文献１では、黒板（ホワイトボードを含む）の上端部又は建物壁面の黒板設置部の上位にガイドレールを設け、このガイドレールにプロジェクターの取付支柱枠（台座）を黒板の左右方向に移動自在に配設したものを提案している。同じく特許文献２では、通常の黒板を含む種々の表示ボードの左右方向に沿って、前後両側に長手方向に連続する中空部を有するアルミ押出型材よりなるガイドレールを配設し、このガイドレール上にプロジェクターの可動台座を前後両側の支持ローラーが両中空部上を転動するように載置すると共に、プロジェクター用伝送ケーブルのケーブルダクトチェーンの上端を可動台座に止着し、Ｕターン状に折り返した該ケーブルダクトチェーンの下部側をガイドレールの両中空部の間に配位させるものを提案している。
【０００３】
しかして、可動式のプロジェクターに用いるガイドレールは、概してプロジェクターの重量（通常５〜１０ｋｇ程度）を支える上で充分な支持強度が必要である。とりわけ左右幅の広い大型黒板に適用するガイドレールでは、それだけ全長が長くなるために高剛性で強度的に優れることが要求されるから、引用文献２で開示するような複数の中空部を有する金属押出型材からなるものが好適である。
【０００４】
一方、表面が暗緑色や黒色を呈する通常の黒板では、プロジェクターによる映像を投影するために映写スクリーンを用いることになる。この映写スクリーンは、所謂マグネットスクリーンであって、不使用時には巻回状態で保持され、使用時に黒板面上に展張させた際に、裏面側の磁力層によって黒板面に磁着するようになっている。しかして、可動式プロジェクターの場合、その投影位置に合わせて映写スクリーンを張着することになるが、単品として独立した映写スクリーンでは、使用の都度に黒板面上で位置決めして展張するのに多大な労力及び時間を費やす上に正確な位置決めが困難である。そこで、プロジェクターの可動台座に映写スクリーンの巻回保持枠を取り付け、プロジェクターと映写スクリーンを一体に移動させる手段が想定される。
【先行技術文献】
【特許文献】
【０００５】
【特許文献１】特開２０１４−０８３６９３号公報
【特許文献２】特開２０１６−１１２８１７号公報
【発明の概要】
【発明が解決しようとする課題】
【０００６】
しかしながら、左右幅の広い大型黒板では、部屋の左右両端位置に着席した受講者からの視認性を高めるために、黒板面の左右両側部もしくは全体が水平方向に凹湾曲した所謂湾曲黒板が多用されている。このような湾曲黒板に可動式プロジェクターを設ける場合、その可動台座を走行させる長尺のガイドレールとして、前述した複数の中空部を有する金属押出型材のような高剛性で強度的に優れるものが望ましいが、高剛性のガイドレールでは湾曲黒板の凹湾曲に合わせるための曲げ加工が極めて困難であることに加え、複数本のプロジェクター用伝送ケーブルを上下にＵターン状に折り返すケーブルダクトチェーンを介して配設する上で、その配設部の直線性が必要であることから、水平直線状のガイドレールを採用せざるを得ない。従って、前記想定のようにプロジェクターの可動台座に映写スクリーンの巻回保持枠を取り付ける手段では、該巻回保持枠が水平直線状のガイドレールに沿ってプロジェクターと一体に直線的に移動するだけであるため、凹湾曲した黒板面に対して映写スクリーンを適正に展張できない。
【０００７】
本発明は、上述の事情に鑑みて、湾曲黒板を対象として、可動式プロジェクターを映写スクリーンと一体に黒板の左右方向に沿って移動可能に設置して、しかも凹湾曲した黒板面のどの位置に対しても映写スクリーンを適正に展張可能とする黒板用映写装置を提供することを目的としている。
【課題を解決するための手段】
【０００８】
上記目的を達成するための手段を図面の参照符号を付して示せば、請求項１の発明に係る黒板用映写装置は、黒板面１０の少なくとも一部が水平方向に凹湾曲した黒板本体１と、黒板設置部の壁面Ｗに沿って水平直線状に配設されたプロジェクター用ガイドレール２と、黒板面１０の上縁に沿って配設されて前記凹湾曲に対応する曲線部３ａを有するスクリーン用ガイドレール３とを備え、プロジェクター用ガイドレール２にはプロジェクターＰを搭載した可動台座４が走行自在に載置されると共に、スクリーン用ガイドレール３には黒板面１０に展張して磁着させる巻上げ式映写スクリーンＳの巻装保持枠５が走行自在に支持され、可動台座４に巻装保持枠５がスライド機構６を介して前後移動可能に連結されていることを特徴としている。
【０００９】
請求項２の発明は、上記請求項１の黒板用映写装置において、スライド機構６Ａ〜６Ｃのスライダー６０，６６に、巻装保持枠５が左右方向中央部で水平回動可能に枢着されていることを特徴としている。
【００１０】
請求項３の発明は、上記請求項１又は２の黒板用映写装置において、巻装保持枠５が左右二箇所で支持枠７を介してスクリーン用ガイドレール３に支持されると共に、各支持枠７に対して巻装保持枠５が水平回動可能に枢着されていることを特徴としている。
【００１１】
請求項４の発明は、上記請求項１〜３の黒板用映写装置において、スライド機構６Ｂ，６Ｃは、可動台座４側に取り付けた前後方向の摺動ガイドレール６５と、この摺動ガイドレール６５に前後摺動自在に嵌合するスライダー６６と、該スライダー６６に一端側を固着して他端側を巻装保持枠５に連結した連結部材６７とで構成されてなる。
【００１２】
請求項５の発明は、上記請求項４の黒板用映写装置において、プロジェクター用ガイドレール２が黒板本体１の上方に離間して建物躯体の壁面Ｗに取り付けられ、摺動ガイドレール６５が可動台座４の前部に垂設された吊持部材４６を介して該プロジェクター用ガイドレール２の下側に配置してなるものとしている。
【００１３】
請求項６の発明は、上記請求項１〜５の黒板用映写装置において、プロジェクター用ガイドレール２が前後両側に長手方向に連続する中空部２ａ，２ｂを有する金属押出型材からなり、両中空部２ａ，２ｂ上を可動台座４の前後両側に設けた各々複数個の支持ローラーＲ１，Ｒ２が転動すると共に、当該ガイドレール２上に、複数本のプロジェクター用伝送ケーブルＣを保持するケーブルダクトチェーン８が上端を可動台座４に止着して上下にＵターン状に折り返す形で配置してなる構成としている。
【発明の効果】
【００１４】
次に、本発明の効果について、図面を参照して具体的に説明する。請求項１の発明に係る黒板用映写装置では、プロジェクターＰを搭載した可動台座４が水平直線状のプロジェクター用ガイドレール２上に走行自在に載置される一方、巻上げ式映写スクリーンＳの巻装保持枠５が黒板面１０の凹湾曲に対応する曲線部３ａを有するスクリーン用ガイドレール３に走行自在に支持されているが、可動台座４に巻装保持枠５がスライド機構６Ａ〜６Ｃを介して前後移動可能に連結されているから、可動台座４と巻装保持枠５のいずれかを手操作で左右に動かすことで、両者４，５を一体に黒板１の左右方向の任意位置へ移動させることができると共に、黒板面１０の凹湾曲による前後位置の変化に対応して巻装保持枠５が自動的に前後変位するから、凹湾曲した黒板面１０における左右方向のどの位置であっても、巻装保持枠５と該黒板面１０とが適切な一定間隔に保たれ、もって該黒板面１０に対して常に映写スクリーンＳを適正に展張することが可能となる。
【００１５】
請求項２の発明によれば、スライド機構６Ａ〜６Ｃのスライダー６０，６６に、巻装保持枠５が左右方向中央部で水平回動可能に枢着されているから、黒板面１０の凹湾曲による面方向の変化に対応して、巻装保持枠５が常に映写スクリーンＳを該黒板面１０に沿わせる向きに自動的に回動変位し、もって黒板面１０における左右方向のどの位置でも映写スクリーンＳを容易に適正姿勢に展張して磁着できる。
【００１６】
請求項３の発明によれば、巻装保持枠５は、左右二箇所で支持枠７を介してスクリーン用ガイドレール３に支持され、且つ各支持枠７に対して水平回動可能に枢着していることで、黒板左右方向のどの位置でも左右の２点支持で水平姿勢を保つから、映写スクリーンＳを引き出す際に傾きを生じず、もって該映写スクリーンＳをより容易に適正姿勢に展張できる。
【００１７】
請求項４の発明によれば、スライド機構６Ｂ，６Ｃは、可動台座４側の前後方向の摺動ガイドレール６５に嵌合するスライダー６６に、連結部材６７を介して巻装保持枠５を連結する構成であるから、構造的に簡素であり、可動台座４及び巻装保持枠５に対する組み付けを容易に行えるという利点がある。
【００１８】
請求項５の発明によれば、プロジェクター用ガイドレール２を黒板本体１の上方に離間して壁面Ｗに取り付け、請求項４で規定するスライド機構６Ｃの摺動ガイドレール６６を可動台座４の前部に垂設された吊持部材４６を介してプロジェクター用ガイドレール２の下側に配置する構成であるから、特に既設の固定式黒板において、その仕様や強度面から黒板本体の頂部に対するプロジェクター用ガイドレール２の取り付けが困難であっても、支障なく本黒板用映写装置を適用できるという利点がある。
【００１９】
請求項６の発明によれば、プロジェクター用ガイドレール２は、前後両側に長手方向に連続する中空部２ａ，２ｂを有する金属押出型材からなり、両中空部２ａ，２ｂ上を可動台座４の前後両側に設けた各々複数個の支持ローラーＲ１，Ｒ２が転動するから、プロジェクターＰの重量が大きく、且つ当該ガイドレール２が長尺であっても、高剛性で充分な支持強度を保持する。そして、該ガイドレール２上に上下にＵターン状に折り返す形で配置したケーブルダクトチェーン８に、複数本のプロジェクター用伝送ケーブルＣが保持されるから、これら伝送ケーブルＣの劣化を生じにくく、その配線作業が容易になると共に、配線部分の外観体裁も良好となる。
【図面の簡単な説明】
【００２０】
【図１】本発明の第一実施形態に係る黒板用映写装置の全体を示し、（ａ）は平面図、（ｂ）は正面図である。
【図２】図１（ａ）のＡ−Ａ線の矢視断面図である。
【図３】同黒板用映写装置における可動台座及び巻装保持枠の配置部分を示す正面図である。
【図４】同黒板用映写装置の可動台座の走行部分を示す一部破断正面図である。
【図５】同可動台座の走行部分の後部側を示す縦断正面図である。
【図６】同黒板用映写装置の巻装保持枠及び支持枠を示す斜視図である。
【図７】図３のＢ−Ｂ線の断面図である。
【図８】図３のＣ−Ｃ線の断面図である。
【図９】同黒板用映写装置の黒板左側部に可動台座及び巻装保持枠が配置した状態を示す平面図である。
【図１０】本発明の第二実施形態に係る黒板用映写装置におけるスライド機構を示し、（ａ）は一部切欠正面図、（ｂ）は一部切欠縦断側面図である。
【図１１】本発明の第三実施形態に係る黒板用映写装置におけるスライド機構を示す縦断側面図である。
【発明を実施するための形態】
【００２１】
以下に、本発明に係る黒板用映写装置の実施形態について、図面を参照して具体的に説明する。なお、第一〜第三実施形態において、共通する構成部分については同一符号を付して重複する説明を省略する。
【００２２】
図１及び図２で示す第一実施形態の黒板用映写装置において、１は横長矩形の大型の黒板本体であり、建物躯体の壁面Ｗに固定された昇降装置１１に背面側で昇降可能に取り付けられている。その黒板面１０は、一般的な暗緑色で下地鋼板による磁力吸着性を有しており、平面状の中央部１０ａより連続する左右両側部１０ｂ，１０ｃが水平方向に凹湾曲して、左右両側端が最も前方へ出ている。この黒板本体１の頂部には水平直線状のプロジェクター用ガイドレール２が複数の取付金具１２を介して黒板面１０よりも後部に位置するように取り付けられ、このガイドレール２上にプロジェクターＰを搭載した可動台座４が走行自在に載置されている。また、黒板面１０の上縁に沿って略全長にわたるスクリーン用ガイドレール３が固設され、このガイドレール３に巻上げ式映写スクリーンＳの巻装保持枠５が走行自在に支持されている。そして、巻装保持枠５が可動台座４に対してがスライド機構６Ａを介して前後移動可能に連結されている。なお、スクリーン用ガイドレール３の左右両側部は、黒板面１０の左右両側部１０ｂ，１０ｃの凹湾曲に対応した曲線部３ａになっている。
【００２３】
プロジェクターＰは、可動台座４上に立設したプロジェクター支柱４１の上部から前方へ突出する取付アーム４２の先端側に保持されており、図２の仮想線で示すように、巻装保持枠５から引き出されて黒板面１０に展張される映写スクリーンＳに映像を投影するようになっている。また、プロジェクター用ガイドレール２上には、図１（ｂ）の仮想線で示すように、上端側を可動台座４に止着したケーブルダクトチェーン８が上下にＵターン状に折り返して、下端側を当該ガイドレール２に止着した形で配置している。１２は黒板本体１の中央下部に取り付けられたブレーキ操作ハンドルであり、把持して上げ下げ操作することにより、黒板本体１を上下限位置まで昇降できると共に、手放すことでブレーキがかかって該黒板本体１を定位置に保持できるようになっている。
【００２４】
プロジェクター用ガイドレール２は、図７及び図８に示すように、前後両側に長手方向に連続する断面略矩形の中空部２ａ，２ｂを有するアルミ押出型材からなるレール本体２０と、該レール本体２０の両中空部２ａ，２ｂ間に構成される配線用溝部２ｃを封鎖するアルミ押出型材からなる蓋板部材２１とで構成されている。そして、レール本体２０の後部側の中空部２ｂ上には、前後に対向立設した断面逆Ｌ字状の側壁部２０ａ，２０ｂにより、上方に開放して長手方向に連続するチャンネル状の走行ガイド枠部２２が構成されている。また、スクリーン用ガイドレール３は、同じく図７及び図８に示すように、略角筒状のアルミ押出型材からなり、全長にわたって前方へ開くスリット状開口部３１を有すると共に、下部側に中空部３２を備えており、黒板本体１の上枠部１４に長手方向複数箇所でビス止めされている。
【００２５】
可動台座４は、図３〜図５及び図８に示すように、プロジェクター支柱４１を立設した平面視略矩形の基枠４０の前後縁に垂下壁部４０ａ，４０ｂ、同左右縁に立ち上げ壁部４０ｃ，４０ｄがそれぞれ一体形成されており、左右縁の立ち上げ壁部４０ｃ，４０ｄには直立した十字形の取付板４３が下部でビス止めされている。そして、基枠４０の前部下面側には縦断面逆Ｌ字形のローラー取付板４４がビス止めされ、このローラー取付板４４に複数個（図４では４個）の支持ローラーＲ１が枢着されると共に、該基枠４０の後縁の垂下壁部４０ｂにも複数個（図５では５個）の支持ローラーＲ２が前面側と後面側とに交互に配置して枢着されている。また、後縁の垂下壁部４０ｂの左右両端には水平片４０ｅが固着され、この水平片４０ｅに横回転ローラーＲ３が枢着されている。
【００２６】
プロジェクター用ガイドレール２上における可動台座４は、前部の支持ローラーＲ１がレール本体２０の前側中空部２ａ上に転接する一方、垂下壁部４０ｂの下部が支持ローラーＲ２と共に該レール本体２０の走行ガイド枠部２２内に配置し、もって後側中空部２ｂ上を支持ローラーＲ２が転接する。また、図５及び図８に示すように、該走行ガイド枠部２２内には左右の横回転ローラーＲ３，Ｒ３も配置しており、この横回転ローラーＲ３によって支持ローラーＲ２が走行ガイド枠部２２の両内側面に対して非接触状態に保たれると共に、当該横回転ローラーＲ３が走行ガイド枠部２２の内側面に転接することで、ガイドレール２上を移動する可動台座４の前後方向の位置ずれが防止される。
【００２７】
ケーブルダクトチェーン８は、図４に示すように、その上端部８ａが可動台座４に設けた右側の取付板４３の頂端から側方へ突出する取付片４３ａに止着されると共に、下端部８ｂがプロジェクター用ガイドレール２の中間位置において蓋板部材２１に取付金具８１を介して止着され、該蓋板部材２１上でＵターン状に折り返して配置している。そして、ガイドレール２の左端側から配線用溝部２ｃを通して引き込まれた複数本のプロジェクター用伝送ケーブルＣが、蓋板部材６に設けた配線穴６ａから導出してケーブルダクトチェーン８内に挿通され、その上端部８ａから導出してプロジェクター支柱４１内導入されている。
【００２８】
映写スクリーンＳの巻装保持枠５は、図３及び図６〜図８に示すように、後方斜め下向きに開放した断面略Ｃ字形のアルミ押出型材からなる横長の筒枠５０の両端に、円形端板５１が該筒枠５０の内周に設けた複数（図では３つ）のビスホール５０ａを利用してビス止めされ、その内側中心に水平な巻取り軸５２を備えており、内側端部に設けた巻上げ機構（図示省略）を介して映写スクリーンＳを該巻取り軸５２に巻回して保持するようになっている。また、筒枠５０の外周頂部には長手方向に連続する奥広の係止溝５０ｂが形成されている。なお、巻装保持枠５の巻上げ機構は、巻取り軸５２をばね力によって巻取り方向に回転付勢する周知のものである。
【００２９】
一方、映写スクリーンＳは、所謂マグネットスクリーンとして裏面側の磁力層によって黒板面１０に磁着し得るものであり、下縁に硬質合成樹脂からなる縁材９が止着されると共に、上縁側は同じ左右幅で上下長さの短いマスクシートＭを介して巻取り軸５２に繋がっている。このマスクシートＭは、黒色で柔軟な非磁着性材料からなる。また、縁材９は、図６に示すように裏面側の長手方向複数箇所に帯状のマグネットシート９１が貼着されると共に、図３に示すように長手方向中央部に半円状の把手９２が固着されている。
【００３０】
そして、巻装保持枠５は、図１で示すように、左右２箇所で支持枠７，７を介してスクリーン用ガイドレール３に走行自在に支持されている。各支持枠７は、図６に示すように、略逆Ｔ形の板体からなる保持枠本体７１と、一対の前後方向の長孔７２ａ，７２ａを有する矩形の位置調整板７２と、帯状取付板７３とで構成されている。その保持枠本体７１には、左右に張出する両側片部７１ａ，７１ａの後面側に一対の支持ローラーＲ４，Ｒ４及び一対の上側水平ローラーＲ５，Ｒ５が、垂直板部７１ｂの後面側下部に中間水平ローラーＲ６が、更に垂直板部７１ｂの下端から後方斜めに延出した突片部７１ｃに下側水平ローラーＲ７が、それぞれ取り付けられている。そして、保持枠本体７１は、垂直板部７１ａの上端から前方へ突出する連結片７１ｄを位置調整板７２上に重ねた状態で、該連結片７１ｄと位置調整板７２とをボルト・ナット型の枢支ピン７４を介して枢着することにより、位置調整板７２に対して水平回動可能に連結される。
【００３１】
スクリーン用ガイドレール３に両支持枠７，７を介して巻装保持枠５を保持させるには、図６及び図７に示すように、各支持枠７の帯状取付板７３を、ボルトｂによって巻装保持枠５の係止溝５０ｂに挿入したナット片５３に螺着して所定位置で固定する一方、位置調整板７２を枢着した各保持枠本体７１の支持ローラーＲ４、Ｒ４と上側水平ローラーＲ５，Ｒ５及び中間水平ローラーＲ６とを、スクリーン用ガイドレール３の一端側から内側へ嵌入させて、該保持枠本体７１を作業位置まで移動し、作業位置において該保持枠本体７１に枢着する位置調整板７２の各長孔７２ａに上方から通した各ボルトｂを、巻装保持枠５側に固定している帯状取付板７３に螺着すればよい。このとき、巻装保持枠５の前後位置を位置調整板７２の長孔７２ａの範囲で調整できる。なお、図７に示すように、保持枠本体７１の各支持ローラーＲ４はスクリーン用ガイドレール３の中空部３２上を転接するが、各上側水平ローラーＲ５が該ガイドレール３の奥側内壁面に、各中間水平ローラーＲ６が該ガイドレール３の手前側内壁面にそれぞれ転接することで、支持枠７の前後の位置ずれが防止されると共に、ガイドレール３の外側下方に配置する下側水平ローラーＲ７が黒板面１０に転接することで、支持枠７の前方への傾きも防止される。
【００３２】
かくしてスクリーン用ガイドレール３に保持させた巻装保持枠５は、既述のようにスライド機構６Ａを介してプロジェクター用ガイドレール２上の可動台座４に連結させる。このスライド機構６Ａは、図３及び図８に示すように、可動台座４側の左右の取付板４３，４３における十字形の水平部４３ｂの内面側前後２箇所に固着されたガイドブロック６０，６０と、これらガイドブロック６０，６０に前後摺動自在に嵌合した左右一対の断面略コ字形のスライドバー６１，６１と、両スライドバー６１，６１の前部側に保持させる上向き開放コ字形の連結枠６２と、該連結枠６２の水平板部６２ａの下面側に配置させる帯状取付板６３とからなる。
【００３３】
そして、連結枠６２は、両スライドバー６１，６１に対し、両側板部６２ｂ，６２ｂにそれぞれ設けた一対の上下方向の長孔６２ｃ，６２ｃを通してボルト止めすることで、両スライドバー６１，６１と一体のスライダー６０を構成する。また、帯状取付板６３は、巻装保持枠５の左右方向中央部において、既述の支持枠７における帯状取付板７３と同様に、ボルトｂによって巻装保持枠５の係止溝５０ｂに挿入したナット片５３に螺着して固定されると共に、連結枠６２の水平板部６２ａに対してボルト・ナット型の枢支ピン６４を介して水平回動可能に連結される。なお、連結枠６２が両スライドバー６１，６１に対して長孔６２ｃ，６２ｃを通してボルト止めするから、その長孔６２ｃの範囲で巻装保持枠５の高さを調整できる。
【００３４】
上記構成の黒板用映写装置では、プロジェクター用ガイドレール２上に載置されたプロジェクターＰを搭載した可動台座４に対し、スクリーン用ガイドレール３に支持された巻装保持枠５がスライド機構６Ａを介して前後移動可能に連結されているから、可動台座４と巻装保持枠５のいずれかを手操作で左右に動かすだけで、両者４，５を一体に黒板左右方向の任意位置へ移動可能であり、その移動位置で巻装保持枠５から映写スクリーンＳを引き出して黒板面１０に展張して磁着させ、プロジェクターＰによって該映写スクリーンＳに所要の映像を投影することができる。
【００３５】
すなわち、直線状のプロジェクター用ガイドレール２に対し、スクリーン用ガイドレール３は左右両側部が黒板面１０の左右両側部１０ｂ，１０ｃの凹湾曲に沿う曲線部３ａ，３ａになっているから、可動台座４と巻装保持枠５との間隔は、図８の実線で示す黒板面１０の中央部１０ａに位置する場合を最小として、左右両側部１０ｂ，１０ｃの各々端になるほど同図の仮想線で示すように拡大するが、該間隔の増減に対応してスライド機構６Ａのスライダー６０が自動的に前後に摺動することで、可動台座４と巻装保持枠５の連結状態が維持される結果、可動台座４と巻装保持枠５の一体移動に支障を生じない。従って、巻装保持枠５は、黒板左右方向のどの位置になっても、黒板面１０に対して適切な一定間隔に保たれ、もって該黒板面１０に対して常に映写スクリーンＳを容易に展張して適正に磁着することが可能となる。
【００３６】
また、黒板面１０の凹湾曲した左右両側部１０ｂ，１０ｃでは、その面方向に対応して巻装保持枠５の向きも内向きに変化する必要があるが、図９の黒板左側部で代表して示すように、該巻装保持枠５を支持する左右両側の支持枠７，７における位置調整板７２が保持枠本体７１に水平回動可能に連結し、同じくスライド機構６Ａの帯状取付板６３も連結枠６２に水平回動可能に連結しているから、該巻装保持枠５は自動的に無理なく内向きに回動変位する。従って、黒板面１０における左右方向のどの位置でも、映写スクリーンＳを容易に適正姿勢に展張して磁着できる。なお、該巻装保持枠５が左右二箇所で支持枠７を介してスクリーン用ガイドレール３に支持されることで、黒板左右方向のどの位置でも左右の２点支持で水平姿勢を保つから、映写スクリーンＳを引き出す際に傾きを生じず、もって該映写スクリーンＳをより容易に適正姿勢に展張できる。
【００３７】
一方、本実施形態のように、プロジェクター用ガイドレール２として前後両側に長手方向に連続する中空部２ａ，２ｂを有する金属押出型材を用い、両中空部２ａ，２ｂ上を可動台座４の前後両側に設けた各々複数個の支持ローラーＲ１，Ｒ２が転動する構成とすれば、プロジェクターＰの重量が大きく、且つ当該ガイドレール２が長尺であっても、高剛性で充分な支持強度を確保できる。また、本実施形態のように、該ガイドレール２上に上下にＵターン状に折り返す形で配置したケーブルダクトチェーン８に、複数本のプロジェクター用伝送ケーブルＣを保持する構成では、これら伝送ケーブルＣの劣化を生じにくく、その配線作業が容易になると共に、配線部分の外観体裁も良好となる。
【００３８】
本発明の黒板用映写装置を適用する黒板本体１としては、本実施形態では黒板面１０の平面状の中央部１０ａより連続する左右両側部１０ｂ，１０ｃが凹湾曲したものを例示したが、左右方向の全長にわたって凹湾曲したり、左右の片側のみが凹湾曲する等、黒板面１０の少なくとも一部が水平方向に凹湾曲したものであればよい。また、本実施形態の黒板は昇降式であるが、本発明は固定式の黒板にも適用できる。そして、固定式の黒板では、後述する第三実施形態で例示するようにに、プロジェクター用ガイドレール２を黒板本体１上ではなく建物壁面Ｗに取り付けてもよい。
【００３９】
更に、本発明は既設の黒板に対する適用性にも優れる。すなわち、既設の黒板が昇降式と固定式のいずれであっても、スクリーン用ガイドレール３を黒板面１０の凹湾曲に対応した曲線部となるように曲げ加工するだけで、プロジェクター用ガイドレール２、可動台座４、巻装保持枠５、スライド機構６Ａには黒板仕様が異なっても共通部品を使用できる。なお、直線状のプロジェクター用ガイドレール２については長尺の原材を適用黒板の左右方向長さに合わせて切断すればよく、スクリーン用ガイドレール３は高剛性を要しないために曲げ加工の容易な原材を用いることができる。
【００４０】
可動台座４に対して巻装保持枠５を前後移動可能に連結するためのスライド機構については、第一実施形態では左右のスライドバー６１，６１と連結枠６２がスライダー６０として一体に前後動するものを例示したが、他の種々の構成が可能である。例えば、次の第二実施形態及び第三実施形態の黒板用映写装置では、可動台座４側に取り付ける摺動ガイドレールとスライダーとからなる簡素なスライド機構を採用している。
【００４１】
第二実施形態の黒板用映写装置は、図１０（ａ）（ｂ）に示すように、プロジェクター用ガイドレール２上の可動台座４に対し、巻装保持枠５がスライド機構６Ｂを介して連結されているが、それ以外は既述の第一実施形態と同様である。このスライド機構６Ｂでは、可動台座４より前方へ棚状に張出したレール保持枠４５の水平板部４５ａの下面側左右中央部に、前後方向に沿う摺動ガイドレール６５がポルト止めされ、この摺動ガイドレール６５の下方に開く奥広のガイド溝６５ａに、断面略逆凸字状のスライダー６６が前後摺動自在に挿嵌され、上下部を互いに逆方向にくの字形に二段曲折した帯板からなる連結部材６７が上部側で該スライダー６６の下面にねじ止めされると共に、この連結部材６７の下部側が巻装保持枠５側に固定された帯状取付板６３にボルト・ナット型の枢支ピン６４を介して水平回動可能に連結されている。
【００４２】
なお、帯状取付板６３は、第一実施形態と同様に、その両端部において係止溝５０ｂに挿入したナット片５３にボルト止めされている。また、可動台座４側のレール保持枠４５は、後方へ延出した左右両側の側板部４５ｂ、４５ｂにおいて、各々可動台座４の左右の取付板４３，４３に各々前後２箇所で上下方向の長孔４３ｃ，４３ｃを通してボルト止めされており、その長孔４３ｃの範囲で高さ調整可能になっている。
【００４３】
この第二実施形態の黒板用映写装置においても、プロジェクター用ガイドレール２上の可動台座４に対し、スクリーン用ガイドレール３に支持された巻装保持枠５がスライド機構６Ｂを介して前後移動可能に連結されているから、黒板面１０の凹湾曲に伴って両者４，５の間隔変化を生じるに関わらず、手操作で両者４，５を一体に黒板左右方向の任意位置へ移動可能である。また、巻装保持枠５は、可動台座４のスライダー６６に対して水平回動可能に枢着しているから、黒板面１０の凹湾曲に対応して常に該黒板面１０に沿うように回動変位する。従って、黒板面１０における左右方向のどの位置でも、映写スクリーンＳを容易に適正姿勢に展張して磁着できる。
【００４４】
第三実施形態の黒板用映写装置は、既存の湾曲部を有する固定式黒板に適用したものである。図１１に示すように、この場合の黒板本体１は、その背面側において幅狭のスペーサー１５を介在した状態で、略逆Ｌ字形の取付金具１６によって建物躯体の壁面Ｗに固定されており、壁面Ｗから黒板面１０までの間隔が狭い上に、耐荷重強度も不充分であることで、その頂部へのプロジェクター用ガイドレール２の取付けが困難である。このため、プロジェクター用ガイドレール２は、図示のように、黒板本体１１から上方へ離間した位置において、壁付け用枠材２３を介して壁面Ｗに取り付けている。この壁付け用枠材２３は、上下二つの中空部２３ａ，２３ａを有するアルミ押出型材からなり、上下に張出する取付板部２３ｂ，２３ｂにおいて壁面Ｗにボルト止めされており、前面側に設けた係止部２３ｃ，２３ｄをプロジェクター用ガイドレール２の後端上下の係止片２０ｃ，２０ｄに各々係合すると共に、前方へ突出する受け片２３ｅを該ガイドレール２の後部下面に重合してボルト止めすることにより、該ガイドレール２を安定に強固に支承している。
【００４５】
一方、スクリーン用ガイドレール３は既述の第一及び第二実施形態と同様に黒板面１０の上縁に沿って配設されており、このスクリーン用レール３に巻装保持枠５が左右の支持枠７，７を介して既述同様に走行自在に支持されている。そして、この巻装保持枠５は、プロジェクター用ガイドレール２上の可動台座４に対し、スライド機構６Ｃを介して前後移動可能に連結されている。すなわち、可動台座４の基本的な構造は既述第一及び第二実施形態と同様であるが、その基枠４０の前縁の垂下壁部４０ａにＬ字状の板体からなる吊持部材４６が垂設されており、スクリーン用ガイドレール３の下方に配置した該吊持部材４６の水平板部４６ｂの下面側に、前後方向に沿う摺動ガイドレール６５がボルト止めされており、第二実施形態のスライド機構６Ｂと同様に、該摺動ガイドレール６５に前後摺動自在に挿嵌されたスライダー６６に連結部材６７が上部側でねじ止めされると共に、この連結部材６７の下部側が巻装保持枠５側に固定された帯状取付板６３にボルト・ナット型の枢支ピン６４を介して水平回動可能に連結されている。
【００４６】
従って、この第三実施形態の黒板用映写装置においても、可動台座４と巻装保持枠５は、黒板面１０の凹湾曲に伴う相互の間隔変化を生じるに関わらず、手操作で一体に黒板左右方向の任意位置へ移動可能であり、且つ巻装保持枠５が黒板面１０の凹湾曲に対応して常に該黒板面１０に沿うように回動変位するから、黒板面１０における左右方向のどの位置でも映写スクリーンＳを容易に適正姿勢に展張して磁着できる。
【００４７】
なお、この第三実施形態における吊持部材４６は、可動台座４の基枠４０に対し、垂直板部４６ａの上部において図示省略した上下方向の長孔を介して高さ調整可能にボルト止めされている。このように、既述の第一及び第二実施形態を含めて、スライド機構６Ａ〜６Ｃの連結部分に介在する上下方向の長孔によって巻装保持枠５の高さを調整可能とすれば、黒板仕様等によってプロジェクター用ガイドレール２とスクリーン用ガイドレール３との高低差が変動しても、その長孔の範囲で対応可能となる。
【００４８】
本発明の黒板用映写装置では、プロジェクター用ガイドレール２及びスクリーン用ガイドレール３の断面形状、可動台座４及び巻装保持枠５の形態、スライド機構の構造及び部材構成、該スライド機構の可動台座４及び巻装保持枠５に対する取付及び連結構造、プロジェクターＰ及び映写スクリーンＳの大きさと形状等、細部構成については実施形態以外に種々設計変更可能である。
【符号の説明】
【００４９】
１          黒板本体
１０        黒板面
１０ａ      中央部
１０ｂ      左側部
１０ｂ      右側部
２          プロジェクター用ガイドレール
２ａ，２ｂ  中空部
３          スクリーン用ガイドレール
３ａ        曲線部
４          可動台座
４６        吊持部材
５          巻装保持枠
６Ａ〜６Ｃ  スライド機構
６０，６６  スライダー
６５        摺動ガイドレール
６７        連結部材
７          支持枠
８          ケーブルダクトチェーン
Ｃ          プロジェクター用伝送ケーブル
Ｐ          プロジェクター
Ｓ          映写スクリーン
Ｗ          壁面
Ｒ１，Ｒ２  支持ローラー
【図１】
2018189925.tif 000003
【図２】
2018189925.tif 000004
【図３】
2018189925.tif 000005
【図４】
2018189925.tif 000006
【図５】
2018189925.tif 000007
【図６】
2018189925.tif 000008
【図７】
2018189925.tif 000009
【図８】
2018189925.tif 000010
【図９】
2018189925.tif 000011
【図１０】
2018189925.tif 000012
【図１１】
2018189925.tif 000013